(57)【要約】      （修正有）【課題】雨天時における雨水の靴内への浸入を防止でき、且つ好適に靴内を換気することができる通気靴の提供。【解決手段】靴本底３の土踏まず領域の全部又は一部に靴の幅方向に貫通する貫通部１０と、この貫通部１０の上方に、貫通部１０内に取り込まれた空気を靴の内部へ導くための複数の通気孔２２とを備え、通気孔２２を開閉するための回転自在な開閉蓋２０を備えている。【選択図】図２
0003118156.tif 000002
【実用新案登録請求の範囲】
【請求項１】
靴本底（３）の土踏まず領域の全部又は一部に靴の幅方向に貫通する貫通部（１０）と、この貫通部（１０）の上方に、前記貫通部（１０）内に取り込まれた空気を靴の内部へ導くための複数の通気孔（２２）とを備え、前記通気孔（２２）を開閉するための開閉蓋（２０，４０）を備えていることを特徴とする通気靴。
【請求項２】
前記靴本底（３）が、弾性を有する靴底本体（１）とこの靴底本体（１）の上部に設けられる靴底カバー（２）とからなり、前記靴底本体（１）の土踏まず領域に靴の幅方向にわたる凹部（１０’）を設け、この凹部（１０’）の上部を前記靴底カバー（２）で塞ぐことにより、前記貫通部（１０）を形成するようにしたことを特徴とする請求項１に記載の通気靴。
【請求項３】
前記開閉蓋（４０）が、前記靴本底（３）に対してスライド自在に設けられていることを特徴とする請求項１又は２に記載の通気靴。
【請求項４】
前記開閉蓋（２０）が、前記靴本底（３）に対して回転自在に設けられていることを特徴とする請求項１又は２に記載の通気靴。
【請求項５】
前記開閉蓋（２０，４０）が、周縁に防水のためのパッキン部材（２３）を備えていることを特徴とする請求項１乃至４に記載の通気靴。
【考案の詳細な説明】
【技術分野】
【０００１】
本考案は、雨天時における靴内への雨水の浸入を防止できると共に、好適な靴内の換気が可能な通気靴に関する。
【背景技術】
【０００２】
一般的に、運動靴などは、通気性についてあまり考慮されておらず、夏季等では靴内に蒸れが生じ、着用者は不快に感じたり皮膚病を悪化させたりしていた。この点を解決するため、通気用の孔を設けて靴内を換気し蒸れを防止することが可能な靴が提供されている。しかし、この靴は防水機能を有しておらず、雨天時に雨水が靴内に浸入して実用性に欠けていた。
【考案の開示】
【考案が解決しようとする課題】
【０００３】
そこで、本考案が解決しようとする課題は、雨天時における防水性に優れ、且つ好適に靴内を換気することができる通気靴を提供することにある。
【課題を解決するための手段】
【０００４】
前記の課題を解決するため、本考案の請求項１に係る通気靴は、靴本底の土踏まず領域の全部又は一部に靴の幅方向に貫通する貫通部と、この貫通部の上方に、貫通部内に取り込まれた空気を靴の内部へ導くための複数の通気孔とを備え、通気孔を開閉するための回転自在な開閉蓋を備えている。
【０００５】
請求項２に記載の通気靴は、請求項１に記載の通気靴において、靴本底が、弾性を有する靴底本体とこの靴底本体の上部に設けられる靴底カバーとからなり、靴底本体の土踏まず領域に靴の幅方向にわたる凹部を設け、この凹部の上部を靴底カバーで塞ぐことにより、貫通部を形成するよう構成した。
【０００６】
請求項３に記載の通気靴は、請求項１又は２に記載の通気靴において、開閉蓋が、靴本底に対してスライド自在に設けられている。
【０００７】
請求項４に記載の通気靴は、請求項１又は２に記載の通気靴において、開閉蓋が、靴本底に対して回転自在に設けられている。
【０００８】
請求項５に記載の通気靴は、請求項１乃至４に記載の通気靴において、開閉蓋が、周縁に防水のためのパッキン部材を備えている。
【考案の効果】
【０００９】
本考案は、上記のように構成されており、靴本底の土踏まず領域に貫通部を設け、この貫通部に取り込まれた空気を、複数の通気孔を通じて靴内へ導くので、常に靴内を換気することができ、靴内の蒸れを防止することができる。更に、通気孔を開閉するための開閉蓋を備えているので、雨天時に開閉蓋を閉めることによって、雨水が靴内へ侵入しないようにすることもできる。
【考案を実施するための最良の形態】
【００１０】
以下、添付図面に基づいて、本考案に係る通気靴の実施例について、詳細に説明する。
【第一実施例】
【００１１】
先ず、本考案に係る通気靴の第一実施例について説明する。図１は、通気靴を分解した状態を示す側面図である。図２は、通気靴を示す側面図である。図３は、靴底カバーを説明するための図である。
【００１２】
図１及び図２の如く、本実施例の通気靴は、下部に靴本底３を備えている。靴本底３は、靴底本体１と靴底カバー２とから構成されている。靴底本体１は、土踏まず領域に、靴の幅方向全部にわたる凹部１０’が設けられている。土踏まず領域とは、着用者が靴を履いた際に、着用者の土踏まずが靴に配置される領域である。凹部１０’は、土踏まず領域の全部又は一部に設けられる。この凹部１０’の高さは、０．５〜２．０ｃｍ程度である。靴底本体１は、弾性を有するエチレン−酢酸ビニル共重合（ＥＶＡ）系樹脂やゴムなどで形成されている。
【００１３】
靴底本体１の上部には、靴底カバー２が接合され、靴底本体１及び靴底カバー２によって靴本底３が構成される。靴底カバー２は、比較的硬質なプラスチックなどにより形成されている。靴底カバー２は、少なくとも凹部１０’を跨ぐように靴底本体１に載置される。従って、靴底カバー２は、靴底本体１の上部の全部を覆うように配置されてもよい。この靴底カバー２を靴底本体１上に設けることにより、凹部１０’の上部開口が塞がれるので、靴本底３に靴の幅方向に貫通する貫通部１０が形成される。凹部１０’は、着用者の土踏まずが配される領域に形成されているので、着用者の体重によって靴底カバー２が破損しないようになっている。
【００１４】
更に靴本底３の上には、メッシュ状のナイロン系素材などからなる中底３０、多孔を有するウレタン系素材などの中敷３１、及びアッパー３２が設けられる。そして、図２の如く、靴底カバー２は、貫通部１０の上部に、垂直方向に貫通する複数の通気孔２２が備えられている。更に、靴底カバー２は、この通気孔２２を開閉可能なように開閉蓋２０を備えている。
【００１５】
開閉蓋２０は、靴底カバー２に回転軸２０ａを介して回転可能に軸支されている。この開閉蓋２０を下げて、通気孔２２を開いた状態にすることにより、貫通部１０に取り込まれた空気が、通気孔２２を通じて靴内へ導かれる。又雨天時においては、この開閉蓋２０を上げて、通気孔２２を閉じることにより（図２に示す二点鎖線の状態。）、貫通部１０内に導かれる雨水が靴内に浸入しないようにできる。
【００１６】
図３（ａ）は、靴底カバー２の側面図である。図３（ａ）の如く、靴底カバー２は、ベース部２１に、回転軸２０ａを介して開閉蓋２０が軸支されている。図３（ｂ）は、ベース部２１の平面図である。ベース部２１は、複数の通気孔２２を備えている。この通気孔２２は、靴底カバー２を靴底本体１に設置した際に、貫通部１０（凹部１０’）の上部に配置される。図３（ｃ）は、開閉蓋２０の平面図である。開閉蓋２０は、両側に突出するハンドル部２０ｂを備えており、着用者がこのハンドル部２０ｂを摘んで、開閉蓋２０を開閉し易いように構成されている。
【００１７】
開閉蓋２０は、回転軸２０ａを備えており、ベース部２１に設けられた軸受２１ａに、この回転軸２０ａを嵌合して軸支している。開閉蓋２０は、フック状の第一係合部２０ｃを備え、ベース部２１は、この第一係合部２０ｃに係合して着脱可能な凹状の第二係合部２１ｃを備えている。雨天時には、開閉蓋２０を上げて各係合部２０ｂ，２０ｃを係合することにより、開閉蓋２０を閉状態に保持することができる。更に、開閉蓋２０の周縁には、ゴム製のパッキン部材２３が設けられており、開閉蓋２０を閉じた際に、雨水が通気孔２２から確実に侵入しないような防水加工が施されている。
【００１８】
上記で説明した例の外、貫通部１０が複数設けられていてもよく、その場合には貫通部１０のそれぞれに開閉蓋２０が備えられている。又、開閉蓋２０をベース部２１に係合する手段も、前記した実施例のフック係合手段に限定されるものではなく、面ファスナーやスナップボタンなどでもよい。
【第二実施例】
【００１９】
次に、本考案に係る通気靴の第二実施例について説明する。本実施例は、前記した第一実施例と同じ構成を多く含むので、同じ構成については説明を省略し、異なる部分について詳細に説明する。図４は、靴底カバーを上方から観た斜視図である。図５は、靴底カバーと開閉蓋とを分離した状態を示す平面図である。図６は、通気孔の開閉を説明するための平面図であり、（ａ）は開いた状態、（ｂ）は閉じた状態である。図７は、靴底カバー及び開閉蓋を示す断面図であり、（ａ）は図６（ａ）のＩ−Ｉ線断面図、（ｂ）は図６（ｂ）のＩＩ−ＩＩ線断面図である。
【００２０】
図４及び図５の如く、靴底カバー２は、通気孔２２を開閉するための開閉蓋４０を備えている。図５の如く、靴底カバー２は、通気孔２２の前方側及び後方側に、掛止部２４，２４を備えている。更に、靴底カバー２は、凸状のレール２５が設けられている。このレール２５は、開閉蓋４０のスライド方向へ直線状に設けられている。
【００２１】
開閉蓋４０は、貫通する複数の開閉孔４１が設けられている。この開閉孔４１は、靴底カバー２の通気孔２２に対応する位置に設けられている。開閉蓋４０は、凹状のガイド溝４３が設けられている。このガイド溝４３は、靴底カバー２のレール２５に係合するように構成されている。開閉蓋４０は、前方部及び後方部が切り欠かれており、この切欠きの両側に、第一規制部４０ａ及び第二規制部４０ｂが形成されている。
【００２２】
開閉蓋４０は、靴底カバー２のベース部２１と掛止部２４，２４との間に嵌め込まれ掛止される。これにより、開閉蓋４０は、靴底カバー２に対してスライド自在に備えられる。更に、開閉蓋４０のガイド溝４３が、靴底カバー２のレール２５に係合することにより、ガイド溝４３がレール２５に案内されて、開閉蓋４０がスライド移動する。そして、開閉蓋４０は、一方側にハンドル部４２を備えており、このハンドル部４２を摘むことにより、開閉蓋４０のスライド移動を容易にする。
【００２３】
図６の如く、掛止部２４，２４は、内側に突設する位置規制部２４ａ，２４ａを備えている。図６（ａ）及び図７（ａ）の如く、開閉蓋４０の第一規制部４０ａが位置規制部２４ａの一端側に当接して、靴底カバー２に対する開閉蓋４０の位置が規制され、通気孔２２と開閉孔４１の位置が重なり、通気孔２２が開くよう構成されている。図６（ｂ）及び図７（ｂ）の如く、開閉蓋４０の第二規制部４０ｂが位置規制部２４ｂの他端側に当接して、靴底カバー２に対する開閉蓋４０の位置が規制され、通気孔２２と開閉孔４１の位置がずれて、各開平孔４１の間が通気孔２２に位置し、通気孔２２が閉じるよう構成されている。
【００２４】
図７（ｂ）の如く、開閉蓋４０は、靴底カバー２に当接する凸状の位置固定部４４を備えている。この位置固定部４４は、弾性を有している。従って、位置固定部４４が、通気孔２２に位置した際に、通気孔２２に入り込み、これにより、開閉蓋４０が通気孔２２を閉じた状態で位置固定されると共に、蓋４０と靴底カバー２との密着度が高まり防水性が向上する。そして、通気孔２２を開く際には、開閉蓋４０を、位置固定部４４の弾性に対抗して移動させる。
【図面の簡単な説明】
【００２５】
【図１】通気靴を分解した状態を示す側面図。
【図２】通気靴を示す側面図。
【図３】靴底カバーを説明するための図。
【図４】靴底カバーを上方から観た斜視図。
【図５】靴底カバーと開閉蓋とを分離した状態を示す平面図。
【図６】通気孔の開閉を説明するための平面図であり、（ａ）は開いた状態、（ｂ）は閉じた状態。
【図７】靴底カバー及び開閉蓋を示す断面図であり、（ａ）は図６（ａ）のＩ−Ｉ線断面図、（ｂ）は図６（ｂ）のＩＩ−ＩＩ線断面図。
【符号の説明】
【００２６】
１  靴底本体
２  靴底カバー
３  靴本底
１０  貫通部
１０’  凹部
２０，４０  開閉蓋
２２  通気孔
４１  開閉孔
２３  パッキン部材
【図１】
0003118156.tif 000003
【図２】
0003118156.tif 000004
【図３】
0003118156.tif 000005
【図４】
0003118156.tif 000006
【図５】
0003118156.tif 000007
【図６】
0003118156.tif 000008
【図７】
0003118156.tif 000009